【手続補正書】
【提出日】平成17年6月17日(2005.6.17)
【手続補正１】
【補正対象書類名】明細書
【補正対象項目名】発明の名称
【補正方法】変更
【補正の内容】
【発明の名称】外部委託人材評価装置と外部委託人材評価プログラム
【手続補正２】
【補正対象書類名】明細書
【補正対象項目名】特許請求の範囲
【補正方法】変更
【補正の内容】
【特許請求の範囲】
【請求項１】
受け入れた派遣社員に関する情報を記録した人材データベースを記憶する記憶装置と、
各種演算処理を行う演算処理装置を備える外部委託人材評価装置であって、
前記演算処理装置が、
前記派遣社員に関する情報として、前記外部人材評価装置に接続される端末装置から受付けた各派遣社員の受け入れ時における職務上の経歴情報を記録する手段と、
新たに受け入れられた派遣社員について、本人を一意的に特定するための情報を、前記人材データベースの検索キーとして登録する手段とを備えたことを特徴とする外部委託人材評価装置。
【請求項２】
請求項１に記載の外部委託人材評価装置において、
前記演算処理装置が、前記端末装置から受付けた各派遣社員の受け入れ時における職務上の経歴情報を、他社における職務上の経歴情報とは別個に、人材データベースに記録する手段を備えたことを特徴とする外部委託人材評価装置。
【請求項３】
請求項１に記載の外部委託人材評価装置において、
前記演算処理装置が、前記端末装置から受付けた前記派遣社員に施した受け入れ教育の種類を前記人材データベースに含める手段を備えたことを特徴とする外部委託人材評価装置。
【請求項４】
請求項１に記載の外部委託人材評価装置において、
前記演算処理装置が、前記端末装置から受付けた前記派遣社員に施した受け入れ教育の種類を前記人材データベースに含めて、適正人件費算出のためのパラメータに加えることを特徴とする外部委託人材評価装置。
【請求項５】
請求項１に記載の外部委託人材評価装置において、
前記演算処理装置が、前記端末装置から受付けた前記派遣社員の職務上の権限の範囲を前記人材データベースに含める手段を備えたことを特徴とする外部委託人材評価装置。
【請求項６】
請求項１に記載の外部委託人材評価装置において、
前記演算処理装置が、前記端末装置から受付けた前記派遣社員の職務上の権限の範囲を前記人材データベースに含めて、適正人件費算出のためのパラメータに加える手段を備えたことを特徴とする外部委託人材評価装置。
【請求項７】
請求項１に記載の外部委託人材評価装置において、
前記演算処理装置が、前記派遣社員を他部門に推薦する情報を前記人材データベースに含める手段を備えたことを特徴とする外部委託人材評価装置。
【請求項８】
請求項１に記載の外部委託人材評価装置において、
前記演算処理装置が、前記派遣社員を他部門に推薦する情報を前記人材データベースに含めて、適正人件費算出のためのパラメータに加える手段を備えたことを特徴とする外部委託人材評価装置。
【請求項９】
請求項１に記載の外部委託人材評価装置において、
前記外部人材評価装置に接続される端末装置から人材データベースを検索して、前記演算処理装置が、過去に採用した経験のある複数の派遣社員が次回採用の候補に挙がった場合に、前記適正人件費の順に順位付けをして表示する手段を備えたことを特徴とする外部委託人材評価装置。
【請求項１０】
請求項５に記載の外部委託人材評価装置において、
前記演算処理装置が、前記人材データベースを参照して、派遣社員の処理能力と職務権限に応じたコンピュータソフトウエアを選択して、前記外部委託人材評価装置に接続される当該派遣社員の使用するコンピュータに、前記コンピュータソフトウエアをインストールする手段を備えたことを特徴とする外部委託人材評価装置。
【請求項１１】
受け入れた派遣社員に関する情報を記録した人材データベースに対して、前記派遣社員に関する情報として、各派遣社員の受け入れ時における職務上の経歴情報を記録する処理と、新たに受け入れられた派遣社員について、本人を一意的に特定するための情報を、前記人材データベースの検索キーとして登録する処理とを、コンピュータに実行させることを特徴とする外部委託人材評価プログラム。
【請求項１２】
請求項１１に記載の外部委託人材評価プログラムにおいて、人材データベースの経歴情報に基づいて、各派遣社員の適正人件費を算出する処理をコンピュータに実行させる外部委託人材評価プログラム。
【請求項１３】
請求項１１に記載の外部委託人材評価プログラムにおいて、人材データベースを検索して、過去に採用した経験のある複数の派遣社員が次回採用の候補に挙がった場合に、前記適正人件費の順に順位付けをして表示する処理を、コンピュータに実行させる外部委託人材評価プログラム。
【手続補正３】
【補正対象書類名】明細書
【補正対象項目名】０００５
【補正方法】変更
【補正の内容】
【０００５】
【課題を解決するための手段】
本発明は次の構成により上記の課題を解決する。
〈構成１〉
受け入れた派遣社員に関する情報を記録した人材データベースを記憶する記憶装置と、各種演算処理を行う演算処理装置を備える外部委託人材評価装置であって、前記演算処理装置が、前記派遣社員に関する情報として、前記外部人材評価装置に接続される端末装置から受付けた各派遣社員の受け入れ時における職務上の経歴情報を記録する手段と、新たに受け入れられた派遣社員について、本人を一意的に特定するための情報を、前記人材データベースの検索キーとして登録する手段とを備えたことを特徴とする外部委託人材評価装置。
【手続補正４】
【補正対象書類名】明細書
【補正対象項目名】０００６
【補正方法】変更
【補正の内容】
【０００６】
〈構成２〉
構成１に記載の外部委託人材評価装置において、前記演算処理装置が、前記端末装置から受付けた各派遣社員の受け入れ時における職務上の経歴情報を、他社における職務上の経歴情報とは別個に、人材データベースに記録する手段を備えたことを特徴とする外部委託人材評価装置。
【手続補正５】
【補正対象書類名】明細書
【補正対象項目名】０００７
【補正方法】変更
【補正の内容】
【０００７】
〈構成３〉
構成１に記載の外部委託人材評価装置において、前記演算処理装置が、前記端末装置から受付けた前記派遣社員に施した受け入れ教育の種類を前記人材データベースに含める手段を備えたことを特徴とする外部委託人材評価装置。
【手続補正６】
【補正対象書類名】明細書
【補正対象項目名】０００８
【補正方法】変更
【補正の内容】
【０００８】
〈構成４〉
構成１に記載の外部委託人材評価装置において、前記演算処理装置が、前記端末装置から受付けた前記派遣社員に施した受け入れ教育の種類を前記人材データベースに含めて、適正人件費算出のためのパラメータに加えることを特徴とする外部委託人材評価装置。
【手続補正７】
【補正対象書類名】明細書
【補正対象項目名】０００９
【補正方法】変更
【補正の内容】
【０００９】
〈構成５〉
構成１に記載の外部委託人材評価装置において、前記演算処理装置が、前記端末装置から受付けた前記派遣社員の職務上の権限の範囲を前記人材データベースに含める手段を備えたことを特徴とする外部委託人材評価装置。
【手続補正８】
【補正対象書類名】明細書
【補正対象項目名】００１０
【補正方法】変更
【補正の内容】
【００１０】
〈構成６〉
構成１に記載の外部委託人材評価装置において、前記演算処理装置が、前記端末装置から受付けた前記派遣社員の職務上の権限の範囲を前記人材データベースに含めて、適正人件費算出のためのパラメータに加える手段を備えたことを特徴とする外部委託人材評価装置。
【手続補正９】
【補正対象書類名】明細書
【補正対象項目名】００１１
【補正方法】変更
【補正の内容】
【００１１】
〈構成７〉
構成１に記載の外部委託人材評価装置において、前記演算処理装置が、前記派遣社員を他部門に推薦する情報を前記人材データベースに含める手段を備えたことを特徴とする外部委託人材評価装置。
【手続補正１０】
【補正対象書類名】明細書
【補正対象項目名】００１２
【補正方法】変更
【補正の内容】
【００１２】
〈構成８〉
構成１に記載の外部委託人材評価装置において、前記演算処理装置が、前記派遣社員を他部門に推薦する情報を前記人材データベースに含めて、適正人件費算出のためのパラメータに加える手段を備えたことを特徴とする外部委託人材評価装置。
【手続補正１１】
【補正対象書類名】明細書
【補正対象項目名】００１３
【補正方法】変更
【補正の内容】
【００１３】
〈構成９〉
構成１に記載の外部委託人材評価装置において、前記外部人材評価装置に接続される端末装置から人材データベースを検索して、前記演算処理装置が、過去に採用した経験のある複数の派遣社員が次回採用の候補に挙がった場合に、前記適正人件費の順に順位付けをして表示する手段を備えたことを特徴とする外部委託人材評価装置。
【手続補正１２】
【補正対象書類名】明細書
【補正対象項目名】００１４
【補正方法】変更
【補正の内容】
【００１４】
〈構成１０〉
構成５に記載の外部委託人材評価装置において、前記演算処理装置が、前記人材データベースを参照して、派遣社員の処理能力と職務権限に応じたコンピュータソフトウエアを選択して、前記外部委託人材評価装置に接続される当該派遣社員の使用するコンピュータに、前記コンピュータソフトウエアをインストールする手段を備えたことを特徴とする外部委託人材評価装置。